【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
ガラス質ボンド研磨物品の三次元モデルを表すデータを有する非一時的機械可読媒体であって、３Ｄプリンタとインターフェースする１又は複数のプロセッサによってアクセスされたときに、前記ガラス質ボンド研磨物品のガラス質ボンド研磨物品前駆体を前記３Ｄプリンタに作製させるものであり、前記ガラス質ボンド研磨物品前駆体は、
ガラス質ボンド前駆体材料及び有機化合物によって互いに結合された研磨粒子を含み、前記ガラス質ボンド研磨物品前駆体は、
前記ガラス質ボンド研磨物品前駆体を少なくとも部分的に通って延びる少なくとも１つの蛇行状冷却チャネル；又は
前記ガラス質ボンド研磨物品前駆体を少なくとも部分的に通って延びる少なくとも１つの弓状冷却チャネル；
のうちの少なくとも１つを更に含み、
前記有機化合物は、ワックス、糖、２５０℃以下の融点を有する熱可塑性材料、又は、これらの組み合わせを有する、非一時的機械可読媒体。
【請求項２】
非一時的機械可読媒体から、ガラス質ボンド研磨物品の３Ｄモデルを表すデータを検索することであって、前記ガラス質ボンド研磨物品プリフォームのガラス質ボンド研磨物品前駆体は、
ガラス質ボンド前駆体材料及び有機化合物によって互いに結合された研磨粒子を含み、前記ガラス質ボンド研磨物品前駆体は、
前記ガラス質ボンド研磨物品前駆体を少なくとも部分的に通って延びる少なくとも１つの蛇行状冷却チャネル；又は
前記ガラス質ボンド研磨物品前駆体を少なくとも部分的に通って延びる少なくとも１つの弓状冷却チャネル；
のうちの少なくとも１つを更に含み、前記有機化合物は、ワックス、糖、２５０℃以下の融点を有する熱可塑性材料、又は、これらの組み合わせを有する、検索することと、
１又は複数のプロセッサによって、前記データを使用する製造デバイスとインターフェースする３Ｄ印刷アプリケーションを実行することと、
前記製造デバイスによって、前記ガラス質ボンド研磨物品前駆体の物理的オブジェクトを生成することと、
を含む、方法。
【請求項３】
請求項２に記載の方法を用いて生成されたガラス質ボンド研磨物品前駆体。
【請求項４】
１又は複数のプロセッサを有する製造デバイスによって、ガラス質ボンド研磨物品前駆体の複数の層を規定するデータを含むデジタルオブジェクトを受信することであって、前記ガラス質ボンド研磨物品前駆体は、
ガラス質ボンド前駆体材料及び有機化合物によって互いに結合された研磨粒子を含み、前記ガラス質ボンド研磨物品前駆体は、
前記ガラス質ボンド研磨物品前駆体を少なくとも部分的に通って延びる少なくとも１つの蛇行状冷却チャネル；又は
前記ガラス質ボンド研磨物品前駆体を少なくとも部分的に通って延びる少なくとも１つの弓状冷却チャネル；
のうちの少なくとも１つを更に含み、前記有機化合物は、ワックス、糖、２５０℃以下の融点を有する熱可塑性材料、又は、これらの組み合わせを有する、受信することと、
前記製造デバイスで、付加製造プロセスによって、前記デジタルオブジェクトに基づいて前記ガラス質ボンド研磨物品前駆体を生成することと、
を含む、方法。
【請求項５】
固まっていない粉末粒子を前記ガラス質ボンド研磨物品前駆体から分離することと、
前記研磨物品前駆体を加熱して、ガラス質ボンド材料中に保持された前記研磨粒子を含む前記ガラス質ボンド研磨物品を提供することと、
を更に含む、請求項４に記載の方法。
【請求項６】
前記有機化合物材料をバーンアウトすることを更に含む、請求項５に記載の方法。
【請求項７】
ガラス質ボンド研磨物品の３Ｄモデルを表示するディスプレイと、
ユーザによって選択された前記３Ｄモデルに応じて、前記ガラス質ボンド研磨物品のガラス質ボンド研磨物品前駆体の物理的オブジェクトを３Ｄプリンタに作製させる、１又は複数のプロセッサと、を含むシステムであって、前記ガラス質ボンド研磨物品前駆体は、
ガラス質ボンド前駆体材料及び有機化合物によって互いに結合された研磨粒子を含み、前記ガラス質ボンド研磨物品前駆体は、
前記ガラス質ボンド研磨物品前駆体を少なくとも部分的に通って延びる少なくとも１つの蛇行状冷却チャネル；又は
前記ガラス質ボンド研磨物品前駆体を少なくとも部分的に通って延びる少なくとも１つの弓状冷却チャネル；
のうちの少なくとも１つを更に含み、
前記有機化合物は、ワックス、糖、２５０℃以下の融点を有する熱可塑性材料、又は、これらの組み合わせを有する、システム。
【請求項８】
メタルボンド研磨物品の三次元モデルを表すデータを有する非一時的機械可読媒体であって、３Ｄプリンタとインターフェースする１又は複数のプロセッサによってアクセスされたときに、前記メタルボンド研磨物品のメタルボンド研磨物品前駆体を前記３Ｄプリンタに作製させるものであり、前記メタルボンド研磨物品前駆体は、
有機化合物材料によって互いに結合された金属粒子と研磨粒子とを含み、前記メタルボンド研磨物品前駆体は、
前記メタルボンド研磨物品前駆体を少なくとも部分的に通って延びる少なくとも１つの蛇行状冷却チャネル；又は
前記メタルボンド研磨物品前駆体を少なくとも部分的に通って延びる少なくとも１つの弓状冷却チャネル；
のうちの少なくとも１つを更に含み、
前記有機化合物は、ワックス、糖、２５０℃以下の融点を有する熱可塑性材料、又は、これらの組み合わせを有する、非一時的機械可読媒体。
【請求項９】
非一時的機械可読媒体から、メタルボンド研磨物品前駆体の３Ｄモデルを表すデータを検索することであって、前記メタルボンド研磨物品前駆体は、
有機化合物材料によって互いに結合された金属粒子と研磨粒子とを含み、前記メタルボンド研磨物品前駆体は、
前記メタルボンド研磨物品前駆体を少なくとも部分的に通って延びる少なくとも１つの蛇行状冷却チャネル；又は
前記メタルボンド研磨物品前駆体を少なくとも部分的に通って延びる少なくとも１つの弓状冷却チャネル；
のうちの少なくとも１つを更に含み、前記有機化合物は、ワックス、糖、２５０℃以下の融点を有する熱可塑性材料、又は、これらの組み合わせを有する、検索することと、
１又は複数のプロセッサによって、前記データを使用する製造デバイスとインターフェースする３Ｄ印刷アプリケーションを実行することと、
前記製造デバイスによって、前記メタルボンド研磨物品前駆体の物理的オブジェクトを生成することと、
を含む、方法。
【請求項１０】
請求項９に記載の方法を用いて生成されたメタルボンド研磨物品前駆体。
【請求項１１】
１又は複数のプロセッサを有する製造デバイスによって、メタルボンド研磨物品前駆体の複数の層を規定するデータを含むデジタルオブジェクトを受信することであって、前記メタルボンド研磨物品前駆体は、
有機化合物材料によって互いに結合された金属粒子と研磨粒子とを含み、前記メタルボンド研磨物品前駆体は、
前記メタルボンド研磨物品前駆体を少なくとも部分的に通って延びる少なくとも１つの蛇行状冷却チャネル；又は
前記メタルボンド研磨物品前駆体を少なくとも部分的に通って延びる少なくとも１つの弓状冷却チャネル；
のうちの少なくとも１つを更に含み、前記有機化合物は、ワックス、糖、２５０℃以下の融点を有する熱可塑性材料、又は、これらの組み合わせを有する、受信することと、
前記製造デバイスで、付加製造プロセスによって、前記デジタルオブジェクトに基づいて前記メタルボンド研磨物品前駆体を生成することと、
を含む、方法。
【請求項１２】
固まっていない粉末粒子を前記メタルボンド研磨物品プリフォームから分離することと、前記研磨物品プリフォームに溶融した低融点金属を注入することであって、前記金属粒子の少なくとも一部は、前記溶融した低融点金属と接触したときに完全には溶融しない、注入することと、
前記溶融した低融点金属を固化して、前記メタルボンド研磨物品を提供することと、
を更に含む、請求項１１に記載の方法。
【請求項１３】
メタルボンド研磨物品の３Ｄモデルを表示するディスプレイと、
ユーザによって選択された前記３Ｄモデルに応じて、前記メタルボンド研磨物品のメタルボンド研磨物品前駆体の物理的オブジェクトを３Ｄプリンタに作製させる、１又は複数のプロセッサと、を含むシステムであって、前記メタルボンド研磨物品前駆体は、
有機化合物材料によって互いに結合された金属粒子と研磨粒子とを含み、前記メタルボンド研磨物品前駆体は、
前記メタルボンド研磨物品前駆体を少なくとも部分的に通って延びる少なくとも１つの蛇行状冷却チャネル；又は
前記メタルボンド研磨物品前駆体を少なくとも部分的に通って延びる少なくとも１つの弓状冷却チャネル；
のうちの少なくとも１つを更に含み、前記有機化合物は、ワックス、糖、２５０℃以下の融点を有する熱可塑性材料、又は、これらの組み合わせを有する、システム。
【請求項１４】
前記ワックスは、カルナウバワックス、キャンデリラワックス、酸化フィッシャートロプシュワックス、微結晶性ワックス、ラノリン、ヤマモモワックス、パーム核ワックス、羊脂ワックス、ポリエチレンワックス、ポリエチレンコポリマーワックス、石油由来ワックス、モンタンワックス誘導体、ポリプロピレンワックス、酸化ポリエチレンワックス、及び、これらの組み合わせを有する、請求項２又は９に記載の方法。
【請求項１５】
前記２５０℃以下の融点を有する熱可塑性材料は、ポリエチレンテレフタレート（ＰＥＴ）、ポリ乳酸（ＰＬＡ）、ポリ塩化ビニル（ＰＶＣ）、ポリメチルメタクリレート（ＰＭＭＡ）、ポリプロピレン（ＰＰ）、ビスフェノールＡポリカーボネート（ＢＰＡ−ＰＣ）、ポリスルホン（ＰＳＦ）、ポリエーテルイミド（ＰＥＩ）、及び、これらの組み合わせを有する、請求項２又は９に記載の方法。